(57)【要約】【課題】ゴミ等が溜まりうる形状の取付部分を有しないスリーブ付き容器を，容器単体やスリーブ単体およびその折り畳み姿態とともに提供すること。【解決手段】複数の壁部７１がコーナー部７２を介して環状に繋がっており縦方向に貫通している角筒形状のスリーブ７には，コーナー部７２と交差してその両隣の壁部７１に跨って上下に間隔を置いて横方向に設けられた２本のコーナースリット７３，７４と，それらよりさらに低い位置にて壁部７１の幅方向の中間部分に横方向に設けられた平坦部スリット７５と，が形成されている。上端が開口した箱体部１１を有する形状の容器４には，箱体部１１の開口部の外側に形成された当接面部１７と，当接面部１７から箱体部１１の外側にかつ下方に向けて形成された突起部６２とが設けられている。取付状態では，２本のコーナースリット７３，７４の間の部分と，平坦部スリット７５の下の部分とが内向きに押し込まれている。【選択図】図７
2020029302.tif 000002
【特許請求の範囲】
【請求項１】
伸開すると複数の壁部がコーナー部を介して環状に繋がっており縦方向に貫通している角筒形状となる折り畳みスリーブであって，
伸開状態でコーナー部となる折り目部と交差してその折り目部の両隣の壁部に跨るとともに，両隣のいずれの壁部の幅方向の中央にも達しない長さに渡って，上下に間隔を置いて横方向に設けられた２本のコーナースリットと，
前記２本のコーナースリットのうち低い方のものよりもさらに低い高さ位置にて，前記壁部の幅方向の中間部分に，両端の折り目部のいずれにも達しない範囲内に横方向に設けられた平坦部スリットと，が形成されていることを特徴とする折り畳みスリーブ。
【請求項２】
複数の壁部がコーナー部を介して環状に繋がっており縦方向に貫通している角筒形状であるスリーブであって，
前記コーナー部と交差してそのコーナー部の両隣の壁部に跨るとともに，両隣のいずれの壁部の幅方向の中央にも達しない長さに渡って，上下に間隔を置いて横方向に設けられた２本のコーナースリットと，
前記２本のコーナースリットのうち低い方のものよりもさらに低い高さ位置にて，前記壁部の幅方向の中間部分に，両端のコーナー部のいずれにも達しない範囲内に設けられた横方向の平坦部スリットと，が形成されており，
前記２本のコーナースリットに挟まれた間の部分および前記平坦部スリットより下方の部分がそれぞれ内向きに押し込まれていることを特徴とするスリーブ。
【請求項３】
請求項１に記載の折り畳みスリーブまたは請求項２に記載のスリーブであって，
前記平坦部スリットの一箇所から下端までにわたって縦方向に設けられた縦スリットが形成されていることを特徴とする折り畳みスリーブまたはスリーブ。
【請求項４】
上端が開口した箱体部を有し，前記箱体部に長尺状の収容物を立てた状態で収容する容器であって，
前記箱体部の開口部の外側に形成された当接面部と，
前記当接面部から，前記箱体部の外側にかつ下方に向けて形成された突起部とを有することを特徴とする容器。
【請求項５】
請求項１に記載の折り畳みスリーブと，請求項４に記載の容器と，を有することを特徴とするスリーブ付き容器。
【請求項６】
請求項２に記載のスリーブと，請求項４に記載の容器と，を有するスリーブ付き容器であって，
前記容器の上部に前記スリーブが取り付けられており，
前記当接面部の上に，前記２本のコーナースリットに挟まれ内向きに押し込まれている部分が位置するとともに，
前記突起部が，前記スリーブにおける前記平坦部スリットより上方かつ内面側から，前記平坦部スリットを通って，前記平坦部スリットより下方の内向きに押し込まれている部分の外側に突出していることを特徴とするスリーブ付き容器。
【発明の詳細な説明】
【技術分野】
【０００１】
本発明は，長尺状の収容物を立てた状態で収容する用途に用いて好適な容器に関する。さらに詳細には，上部にスリーブを取り付けて全高を延長した状態で使用することができるスリーブ付き容器に関するものである。また，スリーブ付き容器における容器単体やスリーブ単体，さらにはスリーブ単体の折り畳み姿態をも対象とする。
【背景技術】
【０００２】
従来から，花卉（かき）や傘などの長尺物の収容には，その用途に特化した容器が用いられることがある。特許文献１にその一例が記載されている。同文献の図１に描かれている容器（Ａ）は，下側の容器本体（２）の上に筒状体（３）を取り付けた構成のものである。これにより前述のような長尺物を，立てた状態で収容できるようになっている。筒状体（３）は段ボール紙で形成されている。同文献の図２には，容器本体（２）がより詳しく記載されている。すなわちその上端の開口部には，容器本体（２）より外側に壁部（６）が形成されており，容器本体（２）と壁部（６）との間が差し込み溝（５）となっている。差し込み溝（５）は上向きに開口しており，ここに筒状体（３）の下端を挿し込むことで，容器本体（２）に筒状体（３）を取り付けることができる。
【先行技術文献】
【特許文献】
【０００３】
【特許文献１】特開平8-133370号公報
【発明の概要】
【発明が解決しようとする課題】
【０００４】
しかしながら前記した従来の長尺物用の容器には，次のような問題点があった。すなわち，差し込み溝（５）が上方に開口した有底形状であるため，ゴミや異物が溜まることがある。容器本体（２）の収容物に起因するものがゴミや異物として差し込み溝（５）に溜まることもある。このため，容器本体（２）に筒状体（３）を取り付ける前に，差し込み溝（５）にゴミや異物が溜まっていないことを確認する必要がある。しかし差し込み溝（５）は狭いので，その真上から見ないと確認ができない。また，差し込み溝（５）にゴミや異物が溜まっていることが判明した場合には，ゴミや異物を除去しなければならない。この除去の作業は，容器本体（２）を逆さにしたり水を掛けたり等，煩雑であった。
【０００５】
本発明は，前記した従来の技術が有する問題点を解決するためになされたものである。すなわちその課題とするところは，容器の上部にスリーブを取り付けて使用するものでありながら，ゴミや異物が溜まりうる形状の部分を有しないスリーブ付き容器を提供することにある。また，スリーブ付き容器における容器単体やスリーブ単体，さらにはスリーブ単体の折り畳み姿態をも提供する。
【課題を解決するための手段】
【０００６】
本発明の一態様における折り畳みスリーブは，伸開すると複数の壁部がコーナー部を介して環状に繋がっており縦方向に貫通している角筒形状となるものであって，伸開状態でコーナー部となる折り目部と交差してその折り目部の両隣の壁部に跨るとともに，両隣のいずれの壁部の幅方向の中央にも達しない長さに渡って，上下に間隔を置いて横方向に設けられた２本のコーナースリットと，２本のコーナースリットのうち低い方のものよりもさらに低い高さ位置にて，壁部の幅方向の中間部分に，両端の折り目部のいずれにも達しない範囲内に横方向に設けられた平坦部スリットと，が形成されているものである。
【０００７】
本発明の別の一態様におけるスリーブは，複数の壁部がコーナー部を介して環状に繋がっており縦方向に貫通している角筒形状であるスリーブであって，コーナー部と交差してそのコーナー部の両隣の壁部に跨るとともに，両隣のいずれの壁部の幅方向の中央にも達しない長さに渡って，上下に間隔を置いて横方向に設けられた２本のコーナースリットと，２本のコーナースリットのうち低い方のものよりもさらに低い高さ位置にて，壁部の幅方向の中間部分に，両端のコーナー部のいずれにも達しない範囲内に設けられた横方向の平坦部スリットと，が形成されており，２本のコーナースリットに挟まれた間の部分および平坦部スリットより下方の部分がそれぞれ内向きに押し込まれているものである。この態様のスリーブは，前述の態様の折り畳みスリーブを伸開した上で，２本のコーナースリットに挟まれた間の部分と，平坦部スリットより下方の部分とをそれぞれ内向きに押し込むことで得られるものである。
【０００８】
本発明のさらに別の一態様における容器は，上端が開口した箱体部を有し，箱体部に長尺状の収容物を立てた状態で収容する部材であって，箱体部の開口部の外側に形成された当接面部と，当接面部から，箱体部の外側にかつ下方に向けて形成された突起部とを有するものである。この容器は，以下に述べるスリーブ付き容器における容器本体である。
【０００９】
本発明のさらに別の一態様におけるスリーブ付き容器は，前述の態様の折り畳みスリーブと，前述の態様の容器とを有するものである。この態様のスリーブ付き容器において，折り畳みスリーブを伸開して容器に取り付けることで，次に述べる態様のスリーブ付き容器となる。
【００１０】
本発明のさらに別の一態様におけるスリーブ付き容器は，前述の態様のスリーブと，前述の態様の容器とを有し，容器の上部にスリーブが取り付けられており，当接面部の上に，２本のコーナースリットに挟まれ内向きに押し込まれている部分が位置するとともに，突起部が，スリーブにおける平坦部スリットより上方かつ内面側から，平坦部スリットを通って，平坦部スリットより下方の内向きに押し込まれている部分の外側に突出しているものである。すなわち，前述の態様の折り畳みスリーブを角筒形状に伸開して容器の上方に配置して，平坦部スリットが突起部の下端より下になるまでスリーブを下降させ，平坦部スリットより下方の部分を内向きに押し込み，突起部がその押し込まれている部分の外に出るようにしてスリーブを上昇させ，低い方のコーナースリットが当接面部の上に出たところで，２本のコーナースリットに挟まれている部分を内向きに押し込めばよい。
【００１１】
この態様のスリーブ付き容器では，スリーブにおける平坦部スリットより下方の内向きに押し込まれている部分と，容器の突起部との引っ掛かりにより，スリーブの上昇が規制されている。また，スリーブにおける２本のコーナースリットの間の内向きに押し込まれている部分と，容器の当接面部との当接により，スリーブの下降が規制されている。このようにスリーブが容器にしっかりと取り付けられた状態にある。このため，上方に開口した差し込み溝のような，ゴミや異物が溜まりうる形状の部分を，スリーブの取り付けのために容器に設ける必要がない。
【００１２】
前述の態様の折り畳みスリーブまたはスリーブにおいては，平坦部スリットの一箇所から下端までにわたって縦方向に設けられた縦スリットが形成されていることが望ましい。このようになっていると，スリーブの容器への取り付け時における，平坦部スリットの下の部分の内向きの押し込み作業が容易である。
【発明の効果】
【００１３】
本構成によれば，容器の上部にスリーブを取り付けて使用するものでありながら，ゴミや異物が溜まりうる形状の部分を有しないスリーブ付き容器が提供されている。また，スリーブ付き容器における容器単体やスリーブ単体，さらにはスリーブ単体の折り畳み姿態も提供されている。
【図面の簡単な説明】
【００１４】
【図１】実施の形態に係る容器の全体形状を示す斜視図である。
【図２】実施の形態に係る容器における容器本体を示す斜視図である。
【図３】実施の形態に係る容器におけるスリーブを折り畳み姿態にて示す斜視図である。
【図４】図３に示したスリーブを容器本体に取り付けるために伸開した状態を示す斜視図である。
【図５】図４中のスリーブを下降させて容器本体の上部に被せた状態を示す斜視図である。
【図６】図５中のスリーブを上昇させて突起部を平坦部スリットから外側に出させた状態を示す斜視図である。
【図７】図１に示した状態の容器を一部切断して示す斜視図である。
【図８】第１の変形例に係るスリーブを取り付け前の伸開姿態にして示す斜視図である。
【図９】図８のスリーブを容器本体に取り付けた状況を示す斜視図である。
【図１０】図９に示した状態の容器を一部切断して示す斜視図である。
【図１１】第２の変形例に係るスリーブを取り付け前の伸開姿態にして示す斜視図である。
【図１２】第３の変形例に係るスリーブを取り付け前の伸開姿態にして示す斜視図である。
【発明を実施するための形態】
【００１５】
以下，本発明を具体化した実施の形態について，添付図面を参照しつつ詳細に説明する。本形態は，図１に示すスリーブ付き容器７０として本発明を具体化したものである。このスリーブ付き容器７０は，容器本体４と，その上のスリーブ７とにより構成されている。スリーブ７は，容器本体４の上部に対して脱着可能である。スリーブ付き容器７０は，容器本体４とスリーブ７とを合わせた全体として縦長の箱状をなしており，長尺物を立てて収容するのに適したものである。なお，スリーブ付き容器７０を上方から見ると，ほぼ正方形状である。容器本体４は合成樹脂製であり，スリーブ７は段ボール製である。
【００１６】
図２に，容器本体４の単体を示す。容器本体４は，箱体部１１を有している。箱体部１１は，上端が開口した箱状の部分であり，下方がやや狭く上方がやや広い斜面体形状とされている。容器本体４はさらに，外壁部１３を有している。外壁部１３は，箱体部１１の外側に位置し，箱体部１１の斜面体形状とは逆に，上方が狭く下方が広い逆斜面体形状とされている。容器本体４の接地箇所は外壁部１３の底部１４であり，箱体部１１の底部１５は地面からやや浮いている。
【００１７】
容器本体４における箱体部１１と外壁部１３とは，上端部で互いに繋がっており一体となっている。その上端部には，箱体部１１の開口部１６を囲む上向きの平坦面である本体フランジ面１７が形成されている。外壁部１３にはさらに，底部１４寄りの下窓１８と，本体フランジ面１７寄りの上窓１９とが形成されている。外壁部１３のうち下窓１８と上窓１９との間の横方向の部分が，下桟部２１である。
【００１８】
また，外壁部１３のうち上窓１９と本体フランジ面１７との間の横方向の部分が，垂れ部２２である。垂れ部２２の一部が，他の部分より凹んだ凹部２４となっている。凹部２４を含めた垂れ部２２は，容器本体４の上端から箱体部１１の外側かつ下方向きに形成されている。さらに，垂れ部２２のうち凹部２４に隣接する箇所に，下向きの突起部６２が形成されている。垂れ部２２のうち突起部６２より外側の範囲は，凹状部４２となっている。
【００１９】
図３に，スリーブ７の単体を示す。図３のスリーブ７は折り畳み状態であるが，伸開すれば図１中に示されるような上下両端がいずれも開口した角筒状となるものである。スリーブ７は，４枚の壁部７１を折り目部７２を介して環状に繋げた形状のものである。スリーブ７にはさらに，いくつかのスリットが形成されている。図３のスリーブ７に形成されているスリットには，上コーナースリット７３，下コーナースリット７４，平坦部スリット７５の３種類がある。いずれも横方向に切られているスリットである。
【００２０】
上コーナースリット７３および下コーナースリット７４はいずれも，折り目部７２と交差してその両隣の壁部７１に跨って形成されている。また，上コーナースリット７３および下コーナースリット７４の両端はいずれも，壁部７１の幅方向の中央までは達していない。つまり上コーナースリット７３および下コーナースリット７４はいずれも比較的短いものである。また，上コーナースリット７３と下コーナースリット７４とは，上下に間隔を置いて設けられている。平坦部スリット７５は，壁部７１における幅方向の中間部分に形成されている。平坦部スリット７５の両端はいずれも，折り目部７２には達していない。また，平坦部スリット７５は，下コーナースリット７４よりもさらに低い高さ位置に設けられている。
【００２１】
図３のスリーブ７を容器本体４に取り付ける際には，開いて角筒状にして容器本体４の上方に配置する（図４）。むろん，平坦部スリット７５が下寄りとなる向きにする。伸開したスリーブ７においては，折り目部７２がコーナー部となっている。よって，上コーナースリット７３および下コーナースリット７４はいずれも，コーナー部と交差している。平坦部スリット７５の両端はいずれも，コーナー部には達していない。その状態からスリーブ７を下降させ，容器本体４の上部に被せる（図５）。図５の状態では，スリーブ７の平坦部スリット７５が，容器本体４の突起部６２の下端よりやや下に位置している。
【００２２】
この状態で，スリーブ７のうち平坦部スリット７５の下側の部分７６を内向きに押し込みつつ，スリーブ７を少し上昇させる。このとき，突起部６２が，平坦部スリット７５を通って部分７６の外側に出るようにする。これにより図６の状態とする。図６の状態では，部分７６がやや凹んでいる。このため平坦部スリット７５が，やや隙間が空いている状態となっており，そこから突起部６２が顔を出している。図６中の突起部６２は，平坦部スリット７５の下側の部分７６より外側にある。図６の状態ではまた，スリーブ７の下コーナースリット７４が，容器本体４の本体フランジ面１７のすぐ上に位置している。そこで図６の状態にて，スリーブ７における，上コーナースリット７３と下コーナースリット７４との間の部分７７を内向きに押し込む。これにより図１に示した状態となる。
【００２３】
したがって図１の状態では，スリーブ７は容器本体４にほぼ固定された状態にある。なぜなら図１の状態では，スリーブ７の上下方向の移動が規制されているからである。すなわち，スリーブ７を図１に示される状態から下向きに移動させることは，容器本体４の本体フランジ面１７と，スリーブ７における押し込まれている部分７７（上コーナースリット７３と下コーナースリット７４との間）との当接により規制されている。また，スリーブ７を上向きに移動させることは，容器本体４の突起部６２と，スリーブ７における押し込まれている部分７６（平坦部スリット７５の下側）との引っ掛かりにより規制されている。さらにいえば，スリーブ７が上向きに移動できる限界が，容器本体４の垂れ部２２の凹状部４２と，部分７６との当接により規定される。図７に，図１に示したスリーブ付き容器７０を縦に切断して内部が見えるようにした状態の斜視図を示す。
【００２４】
このため図１の状態のスリーブ付き容器７０は，図２に示した単体の容器本体４に対して全高をやや嵩上げした状況にある。よって，スリーブ付き容器７０に長尺状の収容物を収容した状態にて，収容物のうち容器本体４の開口部１６より上方に突出している部分は，スリーブ７により囲まれている。例えば収容物が花卉である場合，花の部分がそれに相当する。スリーブ７の外面には，収容物に関する情報を記載することができる。その情報の記載のための欄をスリーブ７の外面にあらかじめ印刷しておいてもよい。収容物についての情報とは，例えば収容物が花卉である場合には，品名，品種名，花色，産地，育成者名等である。
【００２５】
なお，スリーブ７における上端から高さＨ（図１参照）の範囲内では，折り目部７２が切れ目となっている。つまりこの高さ範囲内では，壁部７１同士が繋がっていない。壁部７１同士は，高さＨの範囲よりも下の部分でのみ，折り目部７２を介して繋がっている。このため図１の状態で，壁部７１のうち高さＨの範囲内の部分は，適宜，内向きもしくは外向きに折り曲げることができる。
【００２６】
スリーブ付き容器７０を保管する場合には，スリーブ７を取り付けていないコンパクトな状態とすることで，保管スペースを節約することができる。また，単体の容器本体４は複数個をスタッキングすることも可能なので，保管スペースをさらに節約することができる。取り外したスリーブ７は，数回程度は再使用が可能であり，図３の折り畳み状態に戻せば保管スペースはごくわずかで済む。
【００２７】
図１の状態からスリーブ７を取り外す際には，前述の手順（図３→図４→図５→図６→図１）を逆順で行えばよい。すなわち，まず押し込まれている部分７７（上コーナースリット７３と下コーナースリット７４との間）を外向きに押し出して本体フランジ面１７との当接を解除する。そしてスリーブ７を少し下向きに移動させて突起部６２の部分７６（平坦部スリット７５の下側）への引っ掛かりを解除する。そして部分７６を外向きに押し出しつつスリーブ７を上方へ引き抜く。これにて容器本体４からスリーブ７が外れるので，外れたスリーブ７を元通りに畳めばよい。
【００２８】
続いて，スリーブ７についての変形例を説明する。図８に変形例に係るスリーブ７８を示す。図８のスリーブ７８の，前述のスリーブ７（特に図４を参照のこと）に対する相違点は，平坦部スリット７５にある。前述のスリーブ７における平坦部スリット７５は，各壁部７１に１本ずつ形成されているが，図８のスリーブ７８における各壁部７１の平坦部スリット７５は２分割となっている。さらに，各平坦部スリット７５の外側端部から，スリーブ７８の下端に達する縦スリット７９が縦方向に形成されている。
【００２９】
図８のスリーブ７８では，容器本体４の突起部６２を外側に出すために押し込まれるのは，平坦部スリット７５と縦スリット７９と下端とにより３辺を区画されたタブ状の部分８０である。スリーブ７８では，容器本体４への取り付け時における平坦部スリット７５より下の部分の押し込みが，スリーブ７の場合より楽である。縦スリット７９が設けられていることで，タブ状の部分８０のみを押し込めば十分だからである。図８のスリーブ７８を容器本体４に取り付けた状況を図９に示す。図９は，図１中のスリーブ７を図８のスリーブ７８で置き替えた状態に相当する。図９に現れているように，取付状態で突起部６２の内側にあるのは，タブ状の部分８０である。
【００３０】
図１０に，図９に示した容器（スリーブ７８および容器本体４）を縦に切断して内部が見えるようにした状態の斜視図を示す。図１０に現れているように，取付状態でのスリーブ７８では，押し込まれているタブ状の部分８０は，容器本体４における，凹状部４２ではなく中央の凹部２４の下端と当接している。この当接によりスリーブ７８の上昇の限界が規定されている。したがってスリーブ７８における各平坦部スリット７５の高さ方向位置は，凹部２４の縦方向の寸法に合わせて設定されることが望ましい。上記以外の点については，スリーブ７８とスリーブ７とに特段の違いはない。
【００３１】
別の変形例に係るスリーブ８１を，図１１に示す。図１１のスリーブ８１は，図８のスリーブ７８に対して，縦スリット７９の位置を変更したものである。すなわち図１１のスリーブ８１では縦スリット７９が，各平坦部スリット７５の内側端部から形成されている。スリーブ８１では，容器本体４に取り付けた状態にて，タブ状の部分８０が，容器本体４側の凹状部４２に当接する状態となる。この点でスリーブ８１は，スリーブ７８よりもスリーブ７に近いものであると言える。図１１のスリーブ８１において縦スリット７９を形成しないこととすることもできる。また，図１２に示すように，平坦部スリット７５を各壁部７１内で１本として，その中央部に対して１本の縦スリット７９を設けたスリーブ８２としてもよい。なお，スリーブ７８，８１，８２も，図３に示したような折り畳み状態を取り得ることは当然である。
【００３２】
以上詳細に説明したように本実施の形態によれば，スリーブ７（変形例のものを含む）には，取付状態で下向きの移動を規制する部分７７を形成するための上コーナースリット７３および下コーナースリット７４が設けられている。また，取付状態で上向きの移動を規制する部分７６，８０を形成するための平坦部スリット７５も設けられている。一方，容器本体４には，取り付けられているスリーブ７の下向きの移動を規制する本体フランジ面１７と，上向きの移動を規制する突起部６２とが設けられている。このため容器本体４には，上方に開口した差し込み溝のような，ゴミや異物が溜まりうる形状の部分を，スリーブ７の取り付けのために設ける必要がない。これにより，ゴミや異物が溜まりうる形状の部分を有しないスリーブ付き容器７０が実現されている。また，スリーブ付き容器７０における容器本体４の単体や，スリーブ７の単体，さらにその折り畳み姿態も実現されている。
【００３３】
なお，本実施の形態は単なる例示にすぎず，本発明を何ら限定するものではない。したがって本発明は当然に，その要旨を逸脱しない範囲内で種々の改良，変形が可能である。例えば，前記形態では，スリーブ付き容器７０を上方から見てほぼ正方形状であることとしたが，長方形状でもよいし他の多角形状でもよい。突起部６２は，各辺当たり必ず２つずつ必要という訳ではない。また，スリーブ７（変形例のものを含む）の各スリットは，ある程度の幅を持って形成されているものであってもよい。また，壁部７１の上端の高さＨの範囲内の部分においても折り目部７２を介して繋がっている構成であってもよい。その場合には当該部分の折り曲げはできないが，それは本発明の特徴とは別段関係しない。
【符号の説明】
【００３４】
４    容器本体                            ７３  上コーナースリット
７    スリーブ                            ７４  下コーナースリット
１１  箱体部                              ７５  平坦部スリット
１６  開口部                              ７６  平坦部スリットの下側の部分
１７  本体フランジ面（当接面部）          ７７  上下のコーナースリットの間の部分
２２  垂れ部                              ７８  スリーブ
４２  凹状部                              ７９  縦スリット
６２  突起部                              ８０  タブ状の部分
７０  スリーブ付き容器                    ８１  スリーブ
７１  壁部                                ８２  スリーブ
７２  折り目部
【図１】
2020029302.tif 000003
【図２】
2020029302.tif 000004
【図３】
2020029302.tif 000005
【図４】
2020029302.tif 000006
【図５】
2020029302.tif 000007
【図６】
2020029302.tif 000008
【図７】
2020029302.tif 000009
【図８】
2020029302.tif 000010
【図９】
2020029302.tif 000011
【図１０】
2020029302.tif 000012
【図１１】
2020029302.tif 000013
【図１２】
2020029302.tif 000014